【手続補正書】
【提出日】平成17年7月19日(2005.7.19)
【手続補正１】
【補正対象書類名】明細書
【補正対象項目名】特許請求の範囲
【補正方法】変更
【補正の内容】
【特許請求の範囲】
【請求項１】
圧縮空気源及び燃料源とともに作動するための燃焼器システムにおいて、(a) 燃焼チャンバを形成する円筒形ライナーであって、軸線及びチャンバの軸線方向一端に近接する１つ以上の入口を有し、前記一端に近接するチャンバ部分が単段式燃焼域を有するライナーと、(b) それぞれ圧縮空気吸入口、燃料吸入口、及び圧縮空気と燃料とを混合し燃料／空気混合物を各ライナー入口を経て前記燃焼域に送給するための混合管を有する１つ以上の燃料／空気プレミキサであって、それのみにより実質的に全ての燃焼用空気を前記燃焼域に送給する燃料／空気プレミキサとを有し、前記混合管は流れ軸線と、混合管の軸線方向一端に近接する入口と、混合管の軸線方向他端に位置するノズルとを有し、前記混合管入口は前記圧縮空気入口及び前記燃料入口と流体接続されており、前記ノズルは前記燃焼チャンバ内に延び、燃料／空気混合物を混合管軸線に対して角度を持って前記燃焼域内に流入させるための１つ以上のポートを有することを特徴とする燃焼器システム。
【請求項２】
請求項１に記載の燃焼器システムにおいて、前記混合管は前記ノズルの上流位置で最大断面積を有し、１つ以上のノズルポートの全断面積は１つ以上のポートを通る燃料／空気混合物を加速するために前記混合管の最大断面積に対して小さくされていることを特徴とする燃焼器システム。
【請求項３】
請求項１又は２に記載の燃焼器システムにおいて、前記燃焼チャンバは環状燃焼器であり、混合管軸線はライナー軸線に対して実質的に半径方向を向いており、１つ以上のノズルポートの少なくとも１つは燃料／空気混合物をライナー軸線に対して接線方向に向けるような構造を有することを特徴とする燃焼器システム。
【請求項４】
請求項１又は２に記載の燃焼器システムにおいて、前記燃焼チャンバは缶型燃焼器であり、混合管軸線はライナー軸線と実質的に平行であり、１つ以上のノズルポートの少なくとも１つは燃料／空気混合物をライナー軸線に対して半径方向に向けるような構造を有することを特徴とする燃焼器システム。
【請求項５】
請求項１〜４のいずれかに記載の燃焼器システムにおいて、前記ノズルは複数のノズルポートを有し、前記複数のノズルポートの少なくとも１つは燃料／空気混合物を混合管軸線に対して他のノズルポートの角度と異なる角度に向けるような構造を有することを特徴とする燃焼器システム。
【請求項６】
請求項１〜4のいずれかに記載の燃焼器システムにおいて、前記ノズルは複数のノズルポートを有し、複数のノズルポートの少なくとも２つは燃料／空気混合物をライナー軸線に対して実質的に反対方向に送給するような構造を有することを特徴とする燃焼器システム。
【請求項７】
請求項１〜６のいずれかに記載の燃焼器システムにおいて、前記ノズルは混合管の軸線方向他端に接続した延長部と、前記延長部に接続し１つ以上のポートを形成するように前記延長部から離隔した周辺部を有する端部キャップとを有し、前記端部キャップは１つ以上のポートに燃料／空気混合物を向けるための導管を形成するような構造を有することを特徴とする燃焼器システム。
【請求項８】
請求項１〜７のいずれかに記載の燃焼器システムにおいて、前記混合管がベンチュリであることを特徴とする燃焼器システム。
【請求項９】
請求項１〜８のいずれかに記載の燃焼器システムを具備することを特徴とするガスタービンエンジン。
【請求項１０】
燃料源及び燃焼用圧縮空気源を有するガスタービン用燃焼装置において、(a) 単段式燃焼域を形成する部分を具備し、軸線を有する環状燃焼チャンバと、(b) 前記燃料源及び前記圧縮空気源と接続し、燃料を燃焼用空気と混合し、燃料／空気混合物を前記燃焼域に送給するために燃焼チャンバの軸線に対して角度的に離隔した２つのプレミキサとを有するプレミキサ組立体とを具備し、前記燃焼チャンバ部分はその他の場合には圧縮空気源から遮断されており、各プレミキサの混合管の軸線は燃焼チャンバの軸線に対して実質的に半径方向に向いているとともに軸線方向に傾斜しており、各混合管は入口及び出口を有し、各プレミキサはまた混合管の入口を包囲するハウジングを有し、プレミキサハウジングは空気入口及び燃料源に接続した燃料入口を有し、前記プレミキサ組立体はさらに空気分配マニホルドと、前記マニホルドを各プレミキサハウジングの空気入口に接続する一対の分配導管と、前記マニホルド及び前記分配導管を通してプレミキサの両方への燃焼用空気の流れを制御するために前記圧縮空気源と前記マニホルドとの間の流路内に設けられた単一空気弁とを具備し、前記燃焼装置はさらに、(c) 各混合管に接続し、燃料／空気混合物を単段式燃焼域内に流入させるために単段式燃焼域内に延びるノズルであって、各混合管軸線に対して傾斜した２つ以上のポートで終わるノズルを具備し、２つ以上のポートを通る各流れ方向は燃焼チャンバの軸線に対してお互いに実質的に傾斜していることを特徴とする燃焼装置。
【請求項１１】
燃料源及び燃焼用圧縮空気源を有するガスタービン用燃焼装置において、(a) 単段式燃焼域を有する燃焼チャンバを形成する燃焼チャンバライナーと、(b) 前記燃料源及び前記圧縮空気源に接続するとともに、前記圧縮空気源と前記単段式燃焼域との間に介在するプレミキサであって、燃料を実質的に全ての燃焼用空気と混合する混合管を有する１つ以上のプレミキサと、(c) 前記混合管と接続してその軸線方向に前記燃焼チャンバ内を延びるノズル組立体であって、下流端に前記混合管の軸線に対して傾斜した少なくとも２つのポートを有し、前記前記混合管から燃料／空気混合物を前記単段式燃焼域に流入させるノズル組立体とを具備し、少なくとも２つのポートを通る前記燃料／空気混合物の流れは前記燃焼チャンバの軸線に対して実質的に傾斜していることを特徴とする燃焼装置。
【手続補正２】
【補正対象書類名】明細書
【補正対象項目名】００１２
【補正方法】変更
【補正の内容】
【００１２】
さらに本明細書に具体的かつ広範に記載した本発明によれば、燃料源及び燃焼用圧縮空気の供給源を有するガスタービン用燃焼装置は、単段式燃焼域を形成する部分を含む環状燃焼チャンバを有し、環状燃焼チャンバは軸線、及び燃料源及び圧縮空気源に接続しているとともに、燃料を燃焼用空気と混合するとともに燃料／空気混合物を燃焼域に送給するために燃焼チャンバの軸線に対して角度的に離隔した２つのプレミキサを有する。燃焼チャンバ部分はそれ以外は圧縮空気源から遮断されている。すなわち、燃焼チャンバ部分はプレミキサを介して圧縮空気源と接続している。各プレミキサは、軸線が実質的に半径方向に配向するとともに、燃焼チャンバの軸線に関して軸線方向に傾斜するように、配向した混合管を有し、各混合管は入口及び出口を有し、また各プレミキサは混合管入口を包囲するハウジングを有し、プレミキサハウジングは空気の入口及び燃料源に接続した燃料入口を有する。ノズルは各混合管に接続し、燃料／空気混合物を単段式燃焼域内に流入させるために単段式燃焼域まで延びている。ノズルは各混合管軸線に対して傾斜した２つ以上のポートまで延び、そこで２つ以上のポートを通る各流れ方向は燃焼域軸線に関して実質的に対向している。プレミキサ組立体はさらに、空気分配マニホルドと、一対の分配導管（それぞれマニホルドを各プレミキサハウジングの空気入口に接続する）と、マニホルド及び分配導管を経て両プレミキサへ流れる燃焼用空気を制御するために圧縮空気源とマニホルドとの間の流路内に設けられた単一空気弁とを有する。